(57)【要約】【課題】鍵管理装置において鍵交換の容易化と不正な鍵交換に対するセキュリティ確保を両立する。【解決手段】鍵ホルダ（２）は、ＩＣタグ（４９）が内蔵され、鍵吊り下げ部材（１４）がホルダ本体（１３）に連結された状態として鍵吊り下げ部材の鍵通し用の開口部を封じる使い捨ての封緘具（１５）を備え、鍵管理装置（１）の装置本体（３）は、ＩＣタグのタグ情報を読み取る非接触リーダ部（５）と、各鍵ホルダの封緘具に内蔵されたＩＣタグのタグ情報を記憶して管理するタグ情報管理部（１０３）と、各鍵ホルダを施解錠する施解錠機構（９）の動作を制御する制御部（１０１）とを備え、制御部（１０１）は、装置本体から取り出された後に装置本体に返却される鍵ホルダについて非接触リーダ部が読み取ったその鍵ホルダの封緘具に内蔵されたＩＣタグのタグ情報がタグ情報管理部に登録されていなかった場合、装置本体を異常時モードで動作させる。【選択図】図７
2020060086.tif 000002
【特許請求の範囲】
【請求項１】
複数の鍵ホルダと、複数の鍵ホルダ挿入部およびこの鍵ホルダ挿入部に挿入される各鍵ホルダを施解錠する施解錠機構を備えた装置本体と、を備えた鍵管理装置であって、
鍵ホルダは、
鍵ホルダ挿入部に挿入され施解錠機構により施解錠されるホルダ本体と、
鍵を吊り下げる鍵吊り下げ部材と、
ＩＣタグが内蔵され、鍵吊り下げ部材がホルダ本体に連結された状態として鍵吊り下げ部材の鍵通し用の開口部を封じる使い捨ての封緘具と、
を備え、
装置本体は、
ＩＣタグのタグ情報を読み取る非接触リーダ部と、
各鍵ホルダの封緘具に内蔵されたＩＣタグのタグ情報を記憶して管理するタグ情報管理部と、
施解錠機構の動作を制御する制御部と、
をさらに備え、
制御部は、装置本体から取り出された後に装置本体に返却される鍵ホルダについて非接触リーダ部が読み取ったその鍵ホルダの封緘具に内蔵されたＩＣタグのタグ情報がタグ情報管理部に登録されていなかった場合、装置本体を異常時モードで動作させることを特徴とする鍵管理装置。
【請求項２】
前記装置本体は、報知手段をさらに備え、
前記制御部は、前記異常時モードにおいてこの報知手段を通じて警報を発することを特徴とする請求項１に記載の鍵管理装置。
【請求項３】
前記制御部は、前記非接触リーダ部による前記ＩＣタグのタグ情報の読み取りが行われずに前記鍵ホルダが前記装置本体に返却されたことを検知した場合、前記装置本体を前記異常時モードで動作させることを特徴とする請求項２に記載の鍵管理装置。
【請求項４】
前記制御部は、前記異常時モードにおいて前記施解錠機構を施錠状態に固定することを特徴とする請求項１ないし請求項３のいずれか一項に記載の鍵管理装置。
【請求項５】
前記タグ情報管理部は、各鍵ホルダの識別番号と各鍵ホルダの封緘具に内蔵されたＩＣタグのタグ情報とをペアで記憶しており、任意の鍵ホルダの封緘具が交換されて前記非接触リーダ部により新たな封緘具に内蔵されたＩＣタグのタグ情報が読み取られた場合、その鍵ホルダに対応して記憶しているタグ情報をその新たなタグ情報に更新するとともにその更新日時を記録することを特徴とする請求項１ないし請求項４のいずれか一項に記載の鍵管理装置。
【請求項６】
前記装置本体は、前記封緘具の予備品を収納する予備品庫をさらに備えたことを特徴とする請求項１ないし請求項５のいずれか一項に記載の鍵管理装置。
【請求項７】
前記制御部は、前記予備品庫に収納されている前記予備品の残数を記憶しており、前記タグ情報管理部に新たなタグ情報が登録されるたびに前記予備品の残数を１ずつ減算することを特徴とする請求項６に記載の鍵管理装置。
【請求項８】
前記封緘具は、一般工具の先端が差し込み可能な工具先端受け部と、前記工具先端受け部の周りに設けられた薄肉部とを有することを特徴とする請求項１ないし請求項７のいずれか一項に記載の鍵管理装置。
【請求項９】
前記封緘具は、指または爪が引っ掛けられる引っ掛け部と、一端に前記引っ掛け部が形成された引き剥がし部と、前記引き剥がし部の周りに設けられた薄肉部とを有することを特徴とする請求項１ないし請求項７のいずれか一項に記載の鍵管理装置。
【発明の詳細な説明】
【技術分野】
【０００１】
本発明は、鍵を管理する鍵管理装置に関する。
【背景技術】
【０００２】
金融機関や流通機関などにおいては、各種処理機器の鍵や重要拠点の扉の鍵といったさまざまな重要な鍵が扱われている。これら重要な鍵を管理する上で、鍵の持ち出し管理や鍵の交換履歴の記録が重要である。近年、そのような重要な鍵の管理は鍵管理装置を用いてシステム化されている。
【０００３】
鍵管理装置において鍵は専用の鍵ホルダに取り付けられている。鍵管理装置は、各鍵ホルダの持ち出しを特定の利用者に制限し、また、鍵ホルダを誰がいつ持ち出し、いつ返却したかを記録することでその鍵ホルダに取り付けられた鍵を間接的に管理している。このため、鍵ホルダに取り付けられた鍵は、管理者が特殊な工具・方法を用いてしか交換できないように厳格に管理されている。
【０００４】
例えば、従来の鍵管理装置では、装置本体に設置され、特定者のみがアクセス可能な特殊操作部に特殊な構造をした鍵ホルダを挿入することで、鍵ホルダの特殊構造が解かれて鍵ホルダから鍵を分離することができるようになっている（例えば、特許文献１、２参照）。また、特殊な構造をした鍵ホルダ専用の特殊具を使用して鍵ホルダの特殊構造を解くようにしている（例えば、特許文献３参照）。
【先行技術文献】
【特許文献】
【０００５】
【特許文献１】特開２０１３−１２７１９６号公報
【特許文献２】特開２０１８−９４５３号公報
【特許文献３】特開２０１７−５３２１１号公報
【発明の概要】
【発明が解決しようとする課題】
【０００６】
従来の鍵管理装置では鍵の交換作業を厳格化して不正な鍵交換に対するセキュリティを確保した反面、管理者が装置本体の鍵交換メニューを操作して鍵交換すべき鍵ホルダを選択しなければならなかったり、鍵の交換は鍵ホルダ一つずつしかできずまとめて複数の鍵ホルダの鍵の交換ができなかったりといった不便さを享受しなければならなくなっている。
【０００７】
かかる問題に鑑み、本発明は、鍵管理装置において鍵交換の容易化と不正な鍵交換に対するセキュリティ確保を両立することを課題とする。
【課題を解決するための手段】
【０００８】
本発明の一局面に従うと、複数の鍵ホルダと、複数の鍵ホルダ挿入部およびこの鍵ホルダ挿入部に挿入される各鍵ホルダを施解錠する施解錠機構を備えた装置本体と、を備えた鍵管理装置であって、鍵ホルダは、鍵ホルダ挿入部に挿入され施解錠機構により施解錠されるホルダ本体と、鍵を吊り下げる鍵吊り下げ部材と、ＩＣタグが内蔵され、鍵吊り下げ部材がホルダ本体に連結された状態として鍵吊り下げ部材の鍵通し用の開口部を封じる使い捨ての封緘具と、を備え、装置本体は、ＩＣタグのタグ情報を読み取る非接触リーダ部と、各鍵ホルダの封緘具に内蔵されたＩＣタグのタグ情報を記憶して管理するタグ情報管理部と、施解錠機構の動作を制御する制御部と、をさらに備え、制御部は、装置本体から取り出された後に装置本体に返却される鍵ホルダについて非接触リーダ部が読み取ったその鍵ホルダの封緘具に内蔵されたＩＣタグのタグ情報がタグ情報管理部に登録されていなかった場合、装置本体を異常時モードで動作させることを特徴とする鍵管理装置が提供される。
【発明の効果】
【０００９】
本発明によると、使い捨ての封緘具を採用したことで鍵交換が容易になり、さらに鍵交換された場合、新しい封緘具のＩＣタグのタグ情報を装置本体に登録して管理するようにしたことで、鍵管理装置において鍵交換の容易化と不正な鍵交換に対するセキュリティ確保を両立することができる。
【図面の簡単な説明】
【００１０】
【図１】本発明の一実施形態に係る鍵管理装置の外観斜視図であり、（ａ）、（ｂ）はそれぞれ表扉が閉じた状態、開いた状態を示す。
【図２】本発明の一実施形態に係る鍵ホルダの外観斜視図である。
【図３】本発明の一実施形態に係る鍵ホルダの分解斜視図である。
【図４】本発明の一実施形態に係る鍵ホルダの側面図（一部破断）である。
【図５】図４におけるＡ−Ａ断面図である。
【図６】施解錠機構の一例を示す側面図であり、（ａ）は鍵ホルダが取り出された状態、（ｂ）は鍵ホルダの取り出し・返却中の状態、（ｃ）は鍵ホルダが返却された状態を示す。
【図７】本発明の一実施形態に係る鍵管理装置の制御系ブロック図である。
【図８】本発明の一実施形態に係る鍵管理装置における鍵ホルダの取り出し・返却操作のフローチャートである。
【図９】変形例に係る鍵ホルダの外観斜視図である。
【図１０】一例に係る，手で破壊可能な封緘具の使用例を説明する図である。
【図１１】別例に係る，手で破壊可能な封緘具の使用例を説明する図である。
【発明を実施するための形態】
【００１１】
以下、適宜図面を参照しながら、実施の形態を詳細に説明する。ただし、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
【００１２】
なお、発明者は、当業者が本発明を十分に理解するために添付図面および以下の説明を提供するのであって、これらによって特許請求の範囲に記載の主題を限定することを意図するものではない。また、図面に描かれた各部材の寸法、厚み、細部の詳細形状などは実際のものとは異なることがある。
【００１３】
≪鍵管理装置≫
図１に示すように、本発明の一実施形態に係る鍵管理装置１は、鍵１００を保持する複数の鍵ホルダ２と、複数の鍵ホルダ挿入部４およびこの鍵ホルダ挿入部４に挿入される各鍵ホルダ２を施解錠する施解錠機構９（図６）を備えた装置本体３と、を備えている。
【００１４】
装置本体３は、例えば利用者のＩＣカードの情報や後述する鍵ホルダ２のＩＣタグ情報を読み取る非接触リーダ部５と、各種情報を表示するとともに文字や数字や記号などの入力を受け付けるタッチパネル表示部６と、後述する封緘具の予備品を収納する予備品庫７とを有しており、通常時は図１（ａ）のように中折れ式の表扉８が閉じてロックされた状態にある。非接触リーダ部５によるＩＣカード読み取りによる本人認証あるいは鍵ホルダ２のＩＣタグ認証がＯＫとなった場合、図１（ｂ）のように表扉８を開くことが可能となり、盤面に形成された鍵ホルダ挿入部４に対する鍵ホルダ２の取り出し・返却が可能になる。
【００１５】
≪鍵ホルダ≫
図２および図３に示すように、鍵ホルダ２は、鍵ホルダ挿入部４（図１）に挿入され、装置本体３（図１）に内蔵された施解錠機構９（図６）により施解錠される差込部１１およびこの差込部１１の手前上部に形成される把手部１２を有するホルダ本体１３と、把手部１２の下方に位置する環状の鍵吊り下げ部材１４と、把手部１２に取り付けられ、鍵吊り下げ部材１４がホルダ本体１３（より詳細には把手部１２）に連結された状態として鍵吊り下げ部材１４の鍵通し用の開口部を封じる封緘具１５とから構成されている。
【００１６】
ホルダ本体１３は樹脂製部材であって、差込部１１と把手部１２とは一体に成形されている。差込部１１は縦断面が縦長矩形状となる直方体形状を呈しており、左右側面には樹脂変形防止のための複数の溝１６が形成されるとともに、天地逆の差し込みを防止するためのリブ１７が突設されている。
【００１７】
ここで、各鍵ホルダ２はそれぞれに割り当てられた鍵ホルダ挿入部４にしか差し込めないようになっている。この鍵ホルダ２の編成を行うにあたり、本実施形態ではホルダ本体１３とは別部材からなる識別板５１を用いている。識別板５１は縦長の板金材からなる。識別板５１は、図３に示すように、一方の側縁周りが差込部１１の内溝に嵌合され、他方の側縁周りが蓋材１１Ａの内溝に嵌合されることで、差込部１１の先端面（鍵ホルダ挿入部４に対向する面）にレイアウトされる。差込部１１の上面には後述する施解錠機構９の係合レバー６１（図６）との係脱用の側面視略Ｖ字状の凹部１８が形成されている。
【００１８】
把手部１２は、差込部１１の手前上部を基端として水平に延設される直方体形状を呈した部位であって、鍵ホルダ２を挿脱するときに指で把持する部位となる。把手部１２の上面には、一頂点が差込部１１側に臨むように位置する三角形の差込方向マーク１９が凸状に一体成形されており、この差込方向マーク１９の向きにより、差込部１１側を鍵ホルダ挿入部４側に向けて差し込みを行うことが瞬時に判別できる。なお、把手部１２の上面および両側面は差込部１１の上面および両側面から若干の段差をもって張り出しており、鍵ホルダ挿入部４に対する把手部１２の差し込みはできないようになっている。
【００１９】
把手部１２には、いずれも把手部１２の両側面にわたって貫通する孔断面横長矩形状の係止爪用貫通孔２１と、この係止爪用貫通孔２１の両側に位置する孔断面円形の突起部用貫通孔２２、２２とが形成されている。各突起部用貫通孔２２の中央部周りから把手部１２の下面にかけては、鍵吊り下げ部材１４の屈曲部２７を挿通させるための挿通溝（スリット２３）（図４、図５参照）が形成されている。また、差込部１１の手前側の端面には鍵吊り下げ部材１４の一方の立ち上がり部２９が差し込まれるスリット２４が形成される。把手部１２の両側面には、後述する第１固定カバー３１、第２固定カバー３２が隙間無く面一に嵌め込み可能となるように、各カバーと同一形状でカバーの厚み分の深さを有する凹部２５が形成されている。
【００２０】
把手部１２の両側面の各凹部２５の下縁中央周りには切り欠き部２６が形成されている。一方、第１固定カバー３１、第２固定カバー３２の各下縁の中央周りには矩形平板状の舌部４３、４４が形成されている。そして、第１固定カバー３１、第２固定カバー３２を正しい天地方向で把手部１２の両側面の各凹部２５に嵌め込むと、舌部４３、４４が各凹部２５の切り欠き部２６に嵌合するようになっている。このように第１固定カバー３１、第２固定カバー３２は天地逆向きに各凹部２５に嵌め込みができないようになっている。
【００２１】
鍵吊り下げ部材１４は、いわゆるキーリングであって、例えば金属製の比較的太径の線材から構成される。本実施形態の鍵吊り下げ部材１４は略台形状を呈しており、上部中央は鍵通し用として開口形成され、上部両端は内側に屈曲する屈曲部２７として形成されている。鍵吊り下げ部材１４の下部は水平な直線形状部２８として形成され、直線形状部２８の端部から各屈曲部２７にかけて傾斜状の立ち上がり部２９が形成される。
【００２２】
鍵吊り下げ部材１４がホルダ本体１３に連結された状態として鍵吊り下げ部材１４の鍵通し用の開口部を封じる機能を担う封緘具１５は、本実施形態では、把手部１２の左右側面に取り付けられる第１固定カバー３１および第２固定カバー３２から構成される。第１固定カバー３１および第２固定カバー３２はともに樹脂製部材からなる。
【００２３】
第１固定カバー３１および第２固定カバー３２はそれぞれ把手部１２に対する取り付け用の係止爪３３、３４を有する。第１固定カバー３１と第２固定カバー３２とは、係止爪３３と係止爪３４とが係止することで双方を把手部１２の側面に密着させるように取り付けられる。
【００２４】
図３および図５を参照して、第１固定カバー３１は横長矩形状を呈しており、その裏面中央部周りには、裏面と直交し鉛直方向に沿う矩形平板状であって先端縁に鉤爪を形成した係止爪３３が、横方向に間隔をおいて一対形成されている。各係止爪３３の鉤爪は互いに対向する側に突設されている。
【００２５】
第２固定カバー３２も第１固定カバー３１と略同一の横長矩形状を呈している。第２固定カバー３２の表面中央部周りには、第２固定カバー３２の裏面と直交し鉛直方向に突出し、表側からプラスドライバーなどの工具の先端が差し込み可能な溝を有するテーパー状の工具先端受け部４６が形成されている。また、第２固定カバー３２の表面において工具先端受け部４６の周囲に円形溝４１を形成し、この円形溝４１の溝底部と第２固定カバー３２の裏面との間を円形の薄肉部４０としている。工具先端受け部４６の突出先端には、第２固定カバー３２の裏面と略平行の矩形平板状の爪基部４７が形成されており、爪基部４７の左右両端から第２固定カバー３２の裏面と直交し鉛直方向に沿う矩形平板状であって先端縁に鉤爪を形成した係止爪３４が、第１固定カバー３１側の係止爪３３同士の間隔より狭い間隔をおいて一対形成されている。各係止爪３４の鉤爪は互いに背くように突設されている。
【００２６】
爪基部４７において一対の係止爪３４、３４の間にリブ４８が形成されており、リブ４８にはＩＣタグ４９が一体形成されて埋め込まれている。ＩＣタグ４９は固有のタグ情報を持っており、非接触リーダ部５（図１）によりそのタグ情報を読み出すことができる。当該タグ情報は鍵ホルダ２のＩＣタグ認証で参照される。
【００２７】
また、第１固定カバー３１の裏面において、各係止爪３３の横方向外側には円柱形状の突起部３５が突設されている。この突起部３５は、厳密には先端に向かうにしたがい細くなる傾斜面を有した円錐台形状を呈している。第２固定カバー３２の裏面においては、工具先端受け部４６の横方向外側に、第１固定カバー３１側の突起部３５が挿入される略円筒形状の突起部３６が突設されている。突起部３６の周壁には、弾性により径が拡縮自在となるように軸方向の複数の切込み３７（図３）が形成されており、突起部３６の先端縁には外側に向けて係合フランジ３８が突設されている。係合フランジ３８の上端外側には図５に示すように傾斜面３９が形成されている。
【００２８】
以上の構成からなる鍵ホルダ２の組み付け手順を説明する。先ず、鍵吊り下げ部材１４の上端（屈曲部２７）を若干内側に撓ませた状態でスリット２３を介して把手部１２の内部に差し込む。一方の立ち上がり部２９はスリット２４に嵌め込む。鍵吊り下げ部材１４の差し込みが終了したとき、鍵吊り下げ部材１４の上端周りはその弾性復元力により把手部１２の内壁に押し付けられるので、鍵吊り下げ部材１４が把手部１２から容易に落ちることはない。
【００２９】
次いで、第２固定カバー３２を把手部１２の凹部２５に嵌め込む。係止爪３４は係止爪用貫通孔２１に位置し、突起部３６は突起部用貫通孔２２に挿通される。突起部３６が突起部用貫通孔２２に挿通される過程においては、切込み３７を有しているため、係合フランジ３８が突起部用貫通孔２２の内壁に押されて縮径した状態となって挿通される。挿通時には、図５に示す傾斜面３９の存在により、途中に通過するスリット２３に対して引っ掛かりが生ずることもない。係合フランジ３８が突起部用貫通孔２２の一端部に形成された拡径部に達すると、突起部用貫通孔２２の内壁から解放された係合フランジ３８は弾性復元力により拡径し、把手部１２の内壁の係合面４２に係合する。
【００３０】
次いで、第１固定カバー３１を把手部１２の凹部２５に嵌め込むと、係止爪用貫通孔２１内において係止爪３３が第２固定カバー３２の係止爪３４に係合し、突起部用貫通孔２２内においては突起部３５が突起部３６の中空内壁にほぼ密接する態様で挿入される。したがって、係合フランジ３８を外す方向の力、すなわち係合フランジ３８を縮径方向に移動させる力が働いた場合であっても、係合フランジ３８の移動は突起部３５により規制されることとなり、係合面４２から外れることはない。
【００３１】
以上により、屈曲部２７が突起部３６に係止することで把手部１２に対して鍵吊り下げ部材１４が固定される。
【００３２】
運用上、管理者が鍵を変更する場合が生じたときには、第２固定カバー３２の工具先端受け部４６にプラスドライバーなどの一般工具の先端を差し込んで工具をひねると、工具先端受け部４６の周囲の円形の薄肉部４０と、工具先端受け部４６と爪基部４７との連結部が破断して係止爪３３、３４が係止したまま工具先端受け部４６および爪基部４７が第２固定カバー３２から分離する。そして工具を押し込むと、第２固定カバー３２から分離した工具先端受け部４６および爪基部４７がもろとも第１固定カバー３１側へと押し込まれ、その勢いで第１固定カバー３１が把手部１２の外へと押し出されて把手部１２から外れる。第１固定カバー３１が外れた後は、把手部１２から破壊された第２固定カバー３２を取り除くことで把手部１２から封緘具１５が完全に除去されて、把手部１２から鍵吊り下げ部材１４を取り外して鍵を付け替えることができる。鍵の付け替え後は、例えば予備品庫７（図１）に収納されている新品の第２固定カバー３２および第１固定カバー３１を用いて前記した組み付け手順により再度組み付ける。
【００３３】
このように封緘具１５は使い捨てであり、鍵ホルダ２の鍵の付け替え後に下述の鍵ホルダ２のＩＣタグ登録操作が必要である。
【００３４】
≪施解錠機構≫
図６に示すように、施解錠機構９は、装置本体３において鍵ホルダ挿入部４の奥に設けられている。施解錠機構９は、軸６０に軸支されて鍵ホルダ挿入部４に対する鍵ホルダ２の挿脱方向に平行な面上で回動する係合レバー６１と、係合レバー６１のロック位置を検知するロック検知器６２と、係合レバー６１に常時所定方向の回動力を与える押しバネ７０と、係合レバー６１の上記所定方向とは逆方向の回動を規制するアクチュエータ８０と、鍵ホルダ２の挿脱状態を検知する鍵ホルダ挿脱検知器９１と、インジケータ９４と、を備えている。
【００３５】
係合レバー６１は、軸６０から鍵ホルダ挿入部４の内部に向けて延びる第１アーム６３と、軸６０から第１アーム６３とは反対方向に延びる第２アーム６４と、を備えている。第１アーム６３の先端部６３Ａは凹部１８と係合可能な側面視下向き略Ｖ字状に形成されている。第２アーム６４の中間部６４Ｂの下端に押しバネ７０が連結されており、係合レバー６１には、鍵ホルダ挿入部４の内部において第１アーム６３の先端部６３Ａを下方へ動かすような正方向（図６において時計回り）の回動力が常に働いている。第１アーム６３と第２アーム６４がほぼ水平になる位置まで係合レバー６１が回動すると、第１アーム６３の中間部６３Ｂの下端が鍵ホルダ挿入部４の奥壁５０の上端に当接して係合レバー６１のそれ以上の回動が規制される。
【００３６】
ロック検知器６２は、例えば投受光型の光電センサである。係合レバー６１の第１アーム６３の先端部６３Ａが図６（ｂ）に示すように上がっているとき、ロック検知器６２は係合レバー６１がロック位置にないことを検知し、係合レバー６１の第１アーム６３の先端部６３Ａが図６（ａ）および（ｃ）に示すように下がっているとき、ロック検知器６２は係合レバー６１がロック位置にあることを検知する。
【００３７】
アクチュエータ８０は、ソレノイド８１と、プランジャ８２と、押しバネ８３と、を備えている。アクチュエータ８０はいわゆるプル型ソレノイドであり、ソレノイド８１への非通電時にはプランジャ８２が押しバネ８３の付勢力により装置本体３の奥側から手前に向けて押し出され、ソレノイド８１への通電時にはプランジャ８２が押しバネ８３の付勢力に抗して装置本体３の奥側へ引き込まれるようになっている。第２アーム６４の先端部６４Ａは、プランジャ８２の先端に設けられた突起部８２Ａと係合可能なように側面視略方形状に形成されている。
【００３８】
鍵ホルダ挿脱検知器９１は、例えば、スイッチ部９１Ａが押されることで電気接点が閉じて検知信号を出力する機械式センサであり、装置本体３の奥側に配置されている。スイッチ部９１Ａは、鍵ホルダ挿入部４の奥壁５０の図略の貫通孔と、鍵ホルダ挿脱検知器９１と奥壁５０との間にある支持部５３により支持され、装置本体３の奥行き方向に移動可能な可動ピン９２により押し込まれるようになっている。可動ピン９２には上記貫通孔よりも大きいバネ受け部９２Ａが固定されており、バネ受け部９２Ａと支持部５３との間に押しバネ９３が設けられている。
【００３９】
インジケータ９４は、例えばＬＥＤ（Light Emitting Diode）であり、後述する制御部１０１により点灯／消灯が制御される。例えば、インジケータ９４は、取り出し可能な鍵ホルダ２を示す場合や鍵ホルダ２の返却位置を示す場合に点灯する。また、装置本体３の異常時には点滅する。
【００４０】
図６（ｃ）に示すように、鍵ホルダ２が装置本体３に返却された状態では、係合レバー６１の第１アーム６３の中間部６３Ｂの下端が鍵ホルダ挿入部４の奥壁５０の上端に当接して係合レバー６１の正方向の回動が規制されるとともに、ソレノイド８１への通電が遮断されてプランジャ８２が押し出されてプランジャ８２の先端の突起部８２Ａが係合レバー６１の第２アーム６４の先端部６４Ａの下端に入り込んで係合レバー６１の逆方向の回動が規制される。すなわち、鍵ホルダ２が装置本体３に返却された状態では、係合レバー６１の第１アーム６３の先端部６３Ａが鍵ホルダ２の凹部１８と係合した状態で係合レバー６１の動きがロックされ、装置本体３から鍵ホルダ２の取り出しが規制される。
【００４１】
また、図６（ａ）に示すように、鍵ホルダ２が装置本体３から取り出された状態においても、ソレノイド８１への通電が遮断されることで、図６（ｃ）と同様に第１アーム６３と第２アーム６４が略水平になる位置で係合レバー６１の動きがロックされる。この状態で鍵ホルダ挿入部４に鍵ホルダ２を押し込んでも、鍵ホルダ２の差込部１１の先端上部角が係合レバー６１の第１アーム６３の先端部６３Ａに接触するものの係合レバー６１の動きがロックされているため先端部６３Ａを押し上げることができずにそれ以上鍵ホルダ２を押し込むことができない。このように鍵ホルダ２が装置本体３から取り出された状態でソレノイド８１への通電が遮断することで鍵ホルダ２の返却が規制される。
【００４２】
ソレノイド８１に通電することでプランジャ８２の先端の突起部８２Ａと係合レバー６１の第２アーム６４の先端部６４Ａとの係合が外れ、鍵ホルダ２の取り出し・返却が可能となる。すなわち、図６（ｂ）に示すように、鍵ホルダ２の取り出し・返却中の状態では、ソレノイド８１が通電されてプランジャ８２の先端の突起部８２Ａと係合レバー６１の第２アーム６４の先端部６４Ａとの係合が外れることで係合レバー６１が逆方向へ回動可能となり、鍵ホルダ２の差込部１１により係合レバー６１の第１アーム６３の先端部６３Ａが押しバネ７０の付勢力に抗して押し上げられて先端部６３Ａが鍵ホルダ２の差込部１１の上端面に摺接する。これにより鍵ホルダ２の取り出し・返却が可能となる。鍵ホルダ２が装置本体３の所定位置まで押し込まれるまたは鍵ホルダ２が装置本体３から完全に取り出されると、押しバネ７０の付勢力により第１アーム６３と第２アーム６４が略水平になる位置に係合レバー６１が回動し、その状態でソレノイド８１への通電が遮断されて図６（ａ）または（ｃ）に示したように係合レバー６１の動きがロックされる。
【００４３】
なお、鍵ホルダ挿入部４の奥壁５０において鍵ホルダ２の差込部１１の先端面が当接する面に鍵ホルダ２の識別板５１に一対一に対応する識別ピン５２が取り付けられている。鍵ホルダ２の識別板５１が識別ピン５２に適合する場合、その鍵ホルダ２は装置本体３の奥の所定位置まで差し込むことができるが、鍵ホルダ２の識別板５１が識別ピン５２に適合しない場合、識別ピン５２の先端が識別板５１に当接して鍵ホルダ２のそれ以上の差し込みを阻むことで、その鍵ホルダ２は装置本体３の奥の所定位置まで差し込むことができない。すなわち、図６（ｂ）の状態から図６（ｃ）の状態へと遷移することができない。これにより鍵ホルダ２が誤った鍵ホルダ挿入部４に挿入されてロックされるのを防いでいる。
【００４４】
図６（ｃ）に示すように、鍵ホルダ２が装置本体３に返却され、係合レバー６１によりロックされた状態において、可動ピン９２の一方の先端が鍵ホルダ２の差込部１１の先端面に当接して可動ピン９２が押しバネ９３の付勢力に抗して装置本体３の奥側へと押し込まれ、可動ピン９２の他方の先端がスイッチ部９１Ａを押し込むことで鍵ホルダ挿脱検知器９１は鍵ホルダ２が鍵ホルダ挿入部４に挿入されていることを検知する。一方、図６（ａ）または（ｂ）に示すように、鍵ホルダ２が係合レバー６１によりロックされていない状態、すなわち、鍵ホルダ２が装置本体３に完全に返却されていない状態では、押しバネ９３の付勢力によりバネ受け部９２Ａが鍵ホルダ挿入部４の奥壁５０の裏面に当接する位置まで可動ピン９２が装置本体３の手前へ押し出される。このとき、可動ピン９２の一方の先端は鍵ホルダ挿入部４の内部にわずかに覗く状態となり、他方の先端は鍵ホルダ挿脱検知器９１のスイッチ部９１Ａを押し込まずにスイッチ部９１Ａは開いた状態となり、鍵ホルダ挿脱検知器９１は鍵ホルダ２が鍵ホルダ挿入部４に挿入されていないことを検知する。
【００４５】
≪鍵管理装置の制御系≫
図７は、本発明の一実施形態に係る鍵管理装置１の制御系ブロック図である。装置本体３は、非接触リーダ部５およびタッチパネル表示部６の他に、制御ユニット１０と、警報ブザー９０と、表扉電気錠８Ａと、を備えている。制御ユニット１０には非接触リーダ部５と、タッチパネル表示部６と、警報ブザー９０と、表扉電気錠８Ａと、各施解錠機構９のソレノイド８１、ロック検知器６２、鍵ホルダ挿脱検知器９１およびインジケータ９４と、が接続されている。警報ブザー９０は、鍵管理装置１の異常時などに警報音を発する部材である。表扉電気錠８Ａは、表扉８（図１）を施解錠する部材である。制御ユニット１０は、図略のマイコン、揮発性メモリ、不揮発性メモリ、各種電子部品で構成されており、具体的な処理機能部として制御部１０１と、利用者情報管理部１０２と、タグ情報管理部１０３と、を備えている。
【００４６】
利用者情報管理部１０２は、利用者のＩＣカードの情報を記憶して管理する処理機能部である。管理者は、タッチパネル表示部６の操作を通じて利用者情報管理部１０２に対してＩＣカードの情報の追加、変更および削除を指示することができる。例えば、利用者を追加する場合、利用者情報管理部１０２は、非接触リーダ部５により読み取られた追加対象者のＩＣカードの情報とタッチパネル表示部６に入力された追加対象者の名前や識別番号とをペアにして記憶する。
【００４７】
タグ情報管理部１０３は、鍵ホルダ２の封緘具１５に内蔵されたＩＣタグ４９（図５）のタグ情報を記憶して管理する処理機能部である。具体的には、各鍵ホルダ２には通し番号などの識別番号が割り当てられており、タグ情報管理部１０３は、各鍵ホルダ２の識別番号と各鍵ホルダ２の封緘具１５に内蔵されたＩＣタグ４９のタグ情報とをペアで記憶している。管理者は、タッチパネル表示部６の操作を通じてタグ情報管理部１０３に対してタグ情報の追加、変更および削除を指示することができる。例えば、鍵ホルダ２の鍵を交換すると上述したように封緘具１５が新しいものに取り替えられるため、鍵ホルダ２のＩＣタグ登録操作が必要になる。この場合、タグ情報管理部１０３は、非接触リーダ部５により読み取られた当該新しい封緘具１５に内蔵されたＩＣタグ４９のタグ情報と、管理者によりタッチパネル表示部６を通じて入力された当該鍵ホルダ２の識別番号とを受け、その鍵ホルダ２に対応して記憶しているタグ情報をその新たなタグ情報に更新するとともにその更新日時を記録する。
【００４８】
制御部１０１は、装置本体３全体の制御を司る処理機能部である。制御部１０１が行う主な制御・処理として、表扉電気錠８Ａおよび施解錠機構９の動作制御、利用者の本人認証、鍵ホルダ２のＩＣタグ認証などがある。例えば、制御部１０１は、非接触リーダ部５によりＩＣカードの読み取りが行われた場合、その読み取られた情報と利用者情報管理部１０２に登録されている利用者情報とを照合して本人認証を行い、本人認証が成功すれば表扉電気錠８Ａを解錠するとともに施解錠機構９のソレノイド８１に通電して係合レバー６１（図６）のロック状態を解除して装置本体３から鍵ホルダ２を取り出せるようにする。また、制御部１０１は、非接触リーダ部５により鍵ホルダ２のＩＣタグ４９の読み取りが行われた場合、その読み取られた情報とタグ情報管理部１０３に登録されているタグ情報とを照合して鍵ホルダ２のＩＣタグ認証を行い、ＩＣタグ認証が成功すれば表扉電気錠８Ａを解錠するとともに施解錠機構９のソレノイド８１に通電して係合レバー６１（図６）のロック状態を解除して装置本体３へ鍵ホルダ２を返却できるようにする。
【００４９】
また、制御部１０１は封緘具１５の予備品の残数管理を行うこともできる。具体的には、制御部１０１は予備品庫７（図１）に収納されている予備品の残数を記憶しており、タグ情報管理部１０３に新たなタグ情報が登録されるたびに予備品の残数を１ずつ減算する。さらにタッチパネル表示部６に予備品の残数を表示するようにしてもよい。
【００５０】
次に、鍵ホルダ２の取り出し・返却に係る操作について図８のフローチャートを参照して説明する。利用者が非接触リーダ部５にＩＣカードをかざすと非接触リーダ部５がそのＩＣカードの情報を読み取る。制御部１０１は、非接触リーダ部５が読み取ったＩＣカードの情報と、利用者情報管理部１０２に登録されている利用者情報とを照合して本人認証を行い、表扉電気錠８Ａを解錠するとともに、認証した利用者に利用権限が割り当てられている鍵ホルダ２の施解錠を行う施解錠機構９のソレノイド８１に通電して係合レバー６１（図６）のロック状態を解除する。これにより利用者は表扉８を開いて装置本体３から所望の鍵ホルダ２を取り出すことができる（Ｓ１）。
【００５１】
利用者が装置本体３に鍵ホルダ２を返却するとき、その鍵ホルダ２の鍵が交換されていなければ（Ｓ２でＮＯ）、利用者が非接触リーダ部５に鍵ホルダ２をかざすと非接触リーダ部５がその鍵ホルダ２のＩＣタグ情報を読み取る（Ｓ３）。制御部１０１は、非接触リーダ部５が読み取ったＩＣタグ情報と、タグ情報管理部１０３に登録されているタグ情報とを照合してＩＣタグ認証を行う。ここで鍵ホルダ２の鍵が交換されていない、すなわち、封緘具１５が取り替えられていないため、鍵ホルダ２のＩＣタグ認証が成功し（Ｓ４）、制御部１０１は、表扉電気錠８Ａを解錠するとともに施解錠機構９のソレノイド８１に通電して係合レバー６１（図６）のロック状態を解除する（Ｓ５）。これにより利用者は、表扉８を開いて鍵ホルダ挿入部４に鍵ホルダ２を挿入して装置本体３に鍵ホルダ２を返却する（Ｓ６）。
【００５２】
鍵ホルダ２を取り出して鍵を交換した場合（Ｓ２でＹＥＳ）、管理者が鍵ホルダ２に取り付けられた新しい封緘具１５のＩＣタグ４９のタグ情報の登録をすれば（Ｓ７でＹＥＳ）、タグ情報管理部１０３は、その鍵ホルダ２に対応して記憶しているタグ情報を新たなタグ情報に更新するとともにその更新日時を記録する（Ｓ８）。その後、利用者が非接触リーダ部５に鍵ホルダ２をかざすとＩＣタグ読み取り（Ｓ３）、ＩＣタグ認証（Ｓ４）、ロック解除（Ｓ５）を経て装置本体３に鍵ホルダ２を返却することができる（Ｓ６）。
【００５３】
一方、鍵ホルダ２を取り出して鍵を交換したけれども（Ｓ２でＹＥＳ）、管理者が鍵ホルダ２に取り付けられた新しい封緘具１５のＩＣタグ４９のタグ情報の登録をしていなかった場合（Ｓ７でＮＯ）、利用者がその鍵ホルダ２を返却しようとすると装置本体３は次のように動作する。利用者が非接触リーダ部５に鍵ホルダ２をかざすと非接触リーダ部５がその鍵ホルダ２のＩＣタグ情報を読み取る（Ｓ９）。制御部１０１は、非接触リーダ部５が読み取ったＩＣタグ情報と、タグ情報管理部１０３に登録されているタグ情報とを照合してＩＣタグ認証を行う。ここでタグ情報管理部１０３に新しい封緘具１５のＩＣタグ４９のタグ情報は登録されていないため、鍵ホルダ２のＩＣタグ認証が失敗する（Ｓ１０）。すると制御部１０１は、装置本体３を異常時モードで動作させる（Ｓ１１）。異常時モードでは、制御部１０１は、警報ブザー９０を鳴動させたり、タッチパネル表示部６に警告表示したり、すべてのインジケータ９４を一斉に点滅させたりして警報を発する。また、異常時モードでは、制御部１０１は、ソレノイド８１への通電を遮断して係合レバー６１をロック位置に固定する。これにより鍵ホルダ挿入部４への鍵ホルダ２の挿入を阻止する。装置本体３が異常時モードに陥った場合には、管理者が異常時モード解除の操作をして通常モードに復旧させる必要がある。そして装置本体３が通常モードに復旧した後に改めて管理者が鍵ホルダ２にＩＣタグ登録を行うことで鍵ホルダ２が返却できる。
【００５４】
なお、表扉８を常時開けておくような運用では、非接触リーダ部５に鍵ホルダ２のＩＣタグを読み取らせることなく鍵ホルダ２が返却されるおそれがある。そのような不正な鍵ホルダ返却に対処するために、制御部１０１は、鍵ホルダ挿脱検知器９１の検知信号を常に監視して各鍵ホルダ２の挿脱状況を把握し、非接触リーダ部５により鍵ホルダ２のＩＣタグ４９のタグ情報の読み取りが行われていないにもかかわらず鍵ホルダ２が装置本体３に返却されたと判断した場合、装置本体３を異常時モードで動作させて警報ブザー９０を鳴動させたり、インジケータ９４を点滅させたりしてもよい。
【００５５】
≪効果≫
本実施形態に係る鍵管理装置１は次のような効果を要する。まず、従来の鍵管理装置では管理者が装置本体の鍵交換メニューを操作して鍵交換すべき鍵ホルダを選択しなければ特殊操作部の使用ができずに鍵の交換ができなかったが、本実施形態に係る鍵管理装置１では鍵交換メニューの操作をすることなく任意の鍵ホルダの鍵交換が可能である。また、装置本体３から複数の鍵ホルダ２を取り出してこれら複数の鍵ホルダ２の鍵交換をまとめて行うことができる。
【００５６】
さらに、使い捨ての封緘具１５にＩＣタグ４９を内蔵したことにより、使用済みの封緘具１５の古いＩＣタグ４９を流用するといった不正ができない。また、鍵ホルダ２自体を表扉電気錠８ＡのＩＣキーとして使用することができるようになる。なお、ＩＣタグは非常に安価であるため、ＩＣタグ４９を内蔵した封緘具１５を使い捨てにしてもコスト面で不利にならない。
【００５７】
また、特殊操作部を使わずに誰でも簡単に鍵ホルダ２の鍵交換ができてしまうため、不正な鍵交換が懸念されるが、鍵を交換した場合には新しい封緘具１５のＩＣタグ４９のタグ情報を装置本体３に登録しない限りその鍵ホルダ２は返却できない、すなわちＩＣタグ認証が成功しないと装置本体３が異常時モードで動作するようにしたことで、不正に鍵交換された鍵ホルダ２は実質的に使用できなくなりセキュリティが確保される。さらに、新しい封緘具１５のＩＣタグ４９のタグ情報の登録により、どの鍵ホルダ２の鍵がいつ交換されたのかという鍵交換履歴が自動的に記録され、鍵交換の履歴管理が容易になる。
【００５８】
≪応用・変形≫
鍵ホルダ２は例えば次のように変形可能である。図９は、変形例に係る鍵ホルダ２の外観斜視図である。図９に示すように、変形例に係る鍵ホルダ２では、第１固定カバー３１および第２固定カバー３２を省略して、把手部１２の係止爪用貫通孔２１にリング状の鍵吊り下げ部材１４を挿通させ、鍵吊り下げ部材１４の鍵通し用の開口部を封緘具１５で封じている。封緘具１５にはＩＣタグ４９が一体形成されて埋め込まれている。そして、この封緘具１５は一旦封をするとペンチやニッパーなどの工具で破断しない限り鍵吊り下げ部材１４から外れない使い捨ての部材である。このように鍵ホルダ２を変形しても上記と同様の効果が奏される。
【００５９】
なお、ドライバー、ペンチ、ニッパーなどの工具を用いて封緘具１５を破壊する例を説明したが、工具を用いずに手で封緘具を破壊できるようにしてもよい。例えば、封緘具に破壊用の爪を設け、その爪に手で強い力を加えることで封緘具が破壊できるようにしてもよい。
【００６０】
図１０は、一例に係る，手で破壊可能な封緘具の使用例を説明する図である。本例に係る封緘具１５は、第１固定カバー３１および第２固定カバー３２Ａから構成され、第２固定カバー３２Ａは、図２ないし図５に示した封緘具１５の第２固定カバー３２における工具先端受け部４６、薄肉部４０および舌部４４を引き剥がし部４６Ａ、薄肉部４０Ａおよび引っ掛け部４４Ａに置き換えたものである。引き剥がし部４６Ａは、第２固定カバー３２Ａの中央部に設けられた略矩形状の部材であり、図５と同様に、ＩＣタグ４９が埋め込まれた爪基部４７が引き剥がし部４６Ａの裏面に連結されている。薄肉部４０Ａは第２固定カバー３２Ａの表面または裏面において引き剥がし部４６Ａの左右両側に第２固定カバー３２Ａの下端から上端までに渡って設けられている。引き剥がし部４６Ａの下端に引っ掛け部４４Ａが形成されている。この引っ掛け部４４Ａは、把手部１２の下面よりもわずかに下方向に出っ張っており、上記の破壊用の爪としての役割を果たす。すなわち、引っ掛け部４４Ａに指や爪を引っ掛けて（例えば、指の腹を引っ掛けて）手前に引っ張ることで、引き剥がし部４６Ａの左右両端の薄肉部４０Ａが破断するとともに爪基部４７との連結部分が破壊されて引き剥がし部４６Ａが第２固定カバー３２Ａおよび爪基部４７から分離される。引き剥がし部４６Ａが分離されたら、第２固定カバー３２Ａの残りと第１固定カバー３１を把手部１２から取り除くことで把手部１２から封緘具１５が完全に除去されて、把手部１２から鍵吊り下げ部材１４を取り外して鍵を付け替えることができる。
【００６１】
図１１は、別例に係る，手で破壊可能な封緘具の使用例を説明する図である。本例に係る封緘具１５は、図９に示したタイプの封緘具１５を手で破壊可能にしたものであり、鍵吊り下げ部材１４の鍵通し用の開口部が取り付けられる雄部材１５ＡおよびＩＣタグ４９が一体形成されて埋め込まれた雌部材１５Ｂから構成される。雄部材１５Ａは雌部材１５Ｂに挿入するとロックされて雌部材１５Ｂから外れないようになっている。略直方体形状の雌部材１５Ｂの所定面に略矩形状の引き剥がし部４６Ａと薄肉部４０Ａとが形成されている。薄肉部４０Ａは引き剥がし部４６Ａの左右両側に雌部材１５Ｂ全長に渡って設けられている。引き剥がし部４６Ａの一端部に引っ掛け部４４Ａが形成されている。この引っ掛け部４４Ａには爪が引っ掛けられるようになっており、上記の破壊用の爪としての役割を果たす。すなわち、引っ掛け部４４Ａに爪を引っ掛けて手前に引っ張ると引き剥がし部４６Ａの左右両端の薄肉部４０Ａが破断して引き剥がし部４６Ａがめくれる。これにより、雌部材１５Ｂにおける雄部材１５Ａのロックが外れて雄部材１５Ａを雌部材１５Ｂから取り外して鍵を付け替えることができる。
【００６２】
また、非接触リーダ部５とは別に、装置本体３の盤面において各鍵ホルダ挿入部４の近傍に各鍵ホルダ２のＩＣタグ情報を読み取るための非接触リーダ部を設けてもよい。こうすることで鍵ホルダ２を返却する際に、鍵ホルダ挿入部４の近傍に配置された非接触リーダ部でその鍵ホルダ２のＩＣタグ情報を読み取ることができるため、非接触リーダ部５に鍵ホルダ２をかざす動作が不要になる。
【００６３】
また、制御部１０１は、個別のソレノイド８１に対して通電制御を行うようにしてもよい。例えば、鍵ホルダ２を返却する際に、制御部１０１は、ＩＣタグ認証された鍵ホルダ２が挿入される鍵ホルダ挿入部４における施解錠機構９のソレノイド８１にだけ通電する。さらに、鍵ホルダ２の返却時にインジケータ９４を個別に点灯させて鍵ホルダ２の返却位置を示すようにしてもよい。
【００６４】
また、施解錠機構９において押しバネ７０を省略して、鍵ホルダ２が装置本体３から取り出されると係合レバー６１がそのまま非ロック位置で留まり、鍵ホルダ２が鍵ホルダ挿入部４に挿入されると係合レバー６１がロック位置に移動するような機構にしてもよい。その場合、ＩＣタグ認証なしで鍵ホルダ２の返却ができてしまうため、上述したように制御部１０１は鍵ホルダ挿脱検知器９１の検知信号を常に監視して各鍵ホルダ２の挿脱状況を把握し、非接触リーダ部５により鍵ホルダ２のＩＣタグ４９のタグ情報の読み取りが行われていないにもかかわらず鍵ホルダ２が装置本体３に返却されたと判断した場合、装置本体３を異常時モードで動作させて警報ブザー９０を鳴動させたり、インジケータ９４を点滅させたりすることが望ましい。鍵ホルダ挿脱検知器９１が設けられていない場合には、制御部１０１は、ロック検知器６２の検知信号の変化から各鍵ホルダ２の挿脱状況を推定することができる。
【００６５】
また、タッチパネル表示部６に代えてテンキーと液晶表示器を設けるようにしてもよい。
【００６６】
また、異常時モード解除と同等の操作として、警報を発すると同時に鍵ホルダ２のＩＣタグ登録を行うモードに遷移し、管理者が鍵ホルダ２のＩＣタグ登録を行うことで異常時モードが解除されるようにしてもよい。また、他の鍵管理装置や鍵管理装置を管理するパソコンなどの別の機器から電気通信による指示により、異常時モード解除やＩＣタグ登録を行ってもよい。
【００６７】
また、封緘具１５の予備品を予備品庫７に収納せずに金融機関や流通機関などの本部でまとめて保管するようにしてもよい。この場合、各支店において各種処理機器の鍵交換が必要となった際に本部から各支店に支給すればよい。
【００６８】
以上のように、本発明における技術の例示として、実施の形態を説明した。そのために、添付図面および詳細な説明を提供した。
【００６９】
したがって、添付図面および詳細な説明に記載された構成要素の中には、課題解決のために必須な構成要素だけでなく、上記技術を例示するために、課題解決のためには必須でない構成要素も含まれ得る。そのため、それらの必須ではない構成要素が添付図面や詳細な説明に記載されていることをもって、直ちに、それらの必須ではない構成要素が必須であるとの認定をするべきではない。
【００７０】
また、上述の実施の形態は、本発明における技術を例示するためのものであるから、特許請求の範囲またはその均等の範囲において種々の変更、置き換え、付加、省略などを行うことができる。
【符号の説明】
【００７１】
１…鍵管理装置、２…鍵ホルダ、３…装置本体、４…鍵ホルダ挿入部、５…非接触リーダ部、６…タッチパネル表示部（報知手段の一例）、７…予備品庫、９…施解錠機構、１１…差込部、１２…把手部、１３…ホルダ本体、１４…鍵吊り下げ部材、１５…封緘具、４０…薄肉部、４０Ａ…薄肉部、４４Ａ…引っ掛け部、４６…工具先端受け部、４６Ａ…引き剥がし部、４９…ＩＣタグ、９０…警報ブザー（報知手段の一例）、９１…鍵ホルダ挿脱検知器、９４…インジケータ（報知手段の一例）、１００…鍵、１０１…制御部、１０２…利用者情報管理部、１０３…タグ情報管理部
【図１】
2020060086.tif 000003
【図２】
2020060086.tif 000004
【図３】
2020060086.tif 000005
【図４】
2020060086.tif 000006
【図５】
2020060086.tif 000007
【図６】
2020060086.tif 000008
【図７】
2020060086.tif 000009
【図８】
2020060086.tif 000010
【図９】
2020060086.tif 000011
【図１０】
2020060086.tif 000012
【図１１】
2020060086.tif 000013